(57)【要約】【課題】光学式マウスを透明デスクシート上で使用すると、デスクシート表面では散乱する光が読み取れず、デスク天板上の散乱光では焦点が合わず、認識できないため使用できない。【解決手段】透明デスクシート上面に粗面が結像するホログラムを透明デスクシートと机天板の間に挟み込み、ホログラム像をデスクシート上面の粗面として、光学式マウスに認識させることで光学式マウスの変位をコンピュータに確実に伝えることができる。【選択図】図３
2009199544.tif 000002
【特許請求の範囲】
【請求項１】
ホログラムを有する光学式マウス用変位認識シートで、前記ホログラムにホログラム感材面に平行な粗面が記録されていることを特徴とする光学式マウス用変位認識シート
【請求項２】
請求項１の光学式マウス用変位認識シートで、前記光学式マウス用変位認識シートが有するホログラムが反射型ホログラムである光学式マウス用変位認識シート
【請求項３】
請求項１の光学式マウス用変位認識シートで、前記光学式マウス用変位認識シートが有するホログラムが透過型ホログラムであることを特徴とする光学式マウス用変位認識シート
【請求項４】
請求項１の光学式マウス用変位認識シートで、前記光学式マウス用変位認識シートが有するホログラムが透過型ホログラムであり、さらに前記ホログラムに対してマウス摺動面とは反対側に反射層を用いたことを特徴とする光学式マウス用変位認識シート
【発明の詳細な説明】
【技術分野】
【０００１】
光学式マウスを快適に使用するための変位認識シートに関する。
【背景技術】
【０００２】
コンピュータのポインティングデバイスであるマウスには、主にラバーボールを転がしてその動きを読み取る方式と、レーザー光を当てたマウス摺動面の凹凸情報をセンサーで読み取りコンピュータに伝える光学式マウスがある。
【０００３】
近年、頻繁にゴミとりを行う必要のあるラバーボール方式から、メンテナンスフリーの光学式マウスが主流になり、新規デスクトップコンピュータのほとんどすべてで、付属されるものとなっている。
【０００４】
一方、多くのオフィスの机には、透明デスクシートがしかれ、その下には予定表やメモなどが挟まり、それらをこぼしたお茶や、コーヒーから守っている。
【０００５】
またホログラムは粗面の散乱光であっても記録条件によって主たる散乱方向を制御できる。(特許文献１）
【特許文献１】特許公開平１０−３４００３８
【発明の開示】
【発明が解決しようとする課題】
【０００６】
前述した光学式マウスを、透明デスクシートの上で使おうとすると、光学式マウスは透明デスクシート上の粗面からマウスの動きを読み取ろうとするが、シートが透明なためマウス摺動面の凹凸は読み取れない。また透明デスクシートを通した机上の散乱面では、凹凸までの距離が長くなり、センサー上に像を結ばないため、うまくディテクトできない。
【０００７】
透明デスクシート利用者はマウスパッドを使わざるを得ず、パソコンを使用しないときには、デスクワークの妨げとなっている。
【０００８】
本発明は、おもに透明デスクシートの下に挟み込むことで、透明デスクシート越しでも、確実に光学式マウスの変位を認識させる光学式マウス用変位認識シートを提供することを課題とする。
【課題を解決するための手段】
【０００９】
請求項１に記載の光学式マウス用変位認識シートはホログラムを有する光学式マウス用変位認識シートで、前記ホログラムにはホログラム感材面に平行な粗面が記録されている。使用者は粗面の結像面が上になるよう前記シートを机上に敷き、透明デスクシートでその上を覆う。透明デスクシート上にマウスを置くとマウスの読み出し光が透明デスクシートを通して、ホログラム面に入射し、入射した光は透明デスクシート上面、すなわちマウスの摺動面に粗面を結像するシートである。
【００１０】
結像した光は光学式マウスの仕組みに従い、レンズによって光学式マウスのセンサー上に再結像し、正確にマウスの動きをコンピュータに伝えることができる。
【００１１】
請求項２に記載の光学式マウス用変位認識シートは、前記光学式マウス用変位認識シートが有するホログラムが反射型ホログラムである光学式マウス用変位認識シートで、前記ホログラムが反射型ホログラムであることにより入射した回折光が直接粗面を結像するため安定してマウスの動きをコンピュータに伝えることができる。
【００１２】
請求項３に記載の光学式マウス用変位認識シートは、前記光学式マウス用変位認識シートが有するホログラムが透過型ホログラムであり、本発明シート下面での読み出し光の反射光が透過型ホログラムで回折するか、あるいは入射した読み出し光のホログラム回折光が本発明シート下面で反射して、透明デスクシート上面付近に粗面の像を結像するシートである。
【００１３】
光学式マウスは透明デスクシート上つまり、マウス摺動面上に結像した粗面の像を読み取ってマウスの動きをコンピュータに伝えることができる。
【００１４】
請求項４の光学式マウス用変位認識シートは、前記光学式マウス用変位認識シートは透過型ホログラムを有し、さらにマウス摺動面とはホログラム層をはさんで反対側に反射層を有することで安定して読み出し光を反射するシートである。
【発明の効果】
【００１５】
光学式マウスの読み出し光が、本発明の光学式マウス用変位認識シートに当たると、マウス摺動面近辺に粗面像を結像し、これが再度マウスのセンサー面に結像することで、マウスの動きを正確にコンピュータに伝えることができる。
【００１６】
マウスが摺動するのは透明デスクシート上であり、本発明の光学式マウス用変位認識シートは通常、机天板と透明デスクシートの間にはさまる状態で使用することから、皺がよらない程度の個体保持性を有すればよいため、薄く安価で製造できる。
【００１７】
ホログラムは波長選択性有することから、ホログラムに干渉しない色で、従来のマウスパッドの様に意匠性を高めることができるし、本発明シートの下にメモを挟んでもメモの内容が視認できるようなシートも作成可能である。
【００１８】
またC.G.H.をEB描画等で記録して、緻密に設計された特性のホログラムを得たり、ＵＶ硬化樹脂等を用いたレリーフホログラム複製などで安価量産が容易にできる。
【００１９】
さらに本発明シートが有するホログラムが透過型ホログラムである場合、下部の界面反射でも使用に耐えうる回折像は得られるが、前記透過型ホログラム層に対し、マウスとは反対の面に反射層を設けることで、安定して光学式マウスのセンサーに粗面情報を供給できる。 
【００２０】
またホログラムにより主たる散乱方向を光学式マウスのセンサー方向になるように制御すれば、より多くの光をマウスのセンサーに感知させることができ、確実にマウスの動きをコンピュータに伝えることができる。
【発明を実施するための最良の形態】
【００２１】
以下、図１を用いてその本発明の作成の一例を紹介し、図２、図３に基づいて原理的な実施の形態を説明する。
【００２２】
図１において、片面がスリガラス１のスリガラスではない面を光学密着液３を介してホログラム感材２に密着させ、スリガラス面と、図中左下方向から斜めにコヒーレントなレーザー光４をあて、粗面のホログラム像５を記録する。この場合の下方入射角は一般的な光学式マウスの読み出し光１０の角度とをあわせることが望ましい。
【００２３】
ホログラム感材２から結像粗面までの高さは、撮影するスリガラス１の厚さで調節する。
【００２４】
スリガラスの粗面の粗さは光学式マウスの画像認識レベルで不連続な明暗パターンとなるよう選択する。
【００２５】
図２で示すように撮影されたホログラム像５は記録光とは逆方向からレーザー光４を当てると、図中上面に記録した粗面の位相共役像５を結像する。
【００２６】
この位相共役像５も光学マウスの画像認識レベルで不連続な明暗のパターンとして結像する。
【００２７】
図３で示すように、このようなホログラム２を机上に敷き、透明デスクシート１１で覆う。光学式マウス６を置くと、読み出し光９が透明デスクシート１１を通してホログラムに入射し、回折像５が透明デスクシート上面に結像し、この光がレンズ７によってマウスのセンサー８上に再結像、マウス６の動きをコンピュータに伝える。
【００２８】
本件ではスリガラスを用いているが、数ミリの厚さにわたって微細な散乱子（たとえば気泡）が分布したガラス板をホログラムに記録することもできる。このホログラムは数ミリの間のあらゆるで高さで焦点を結ぶ粗面像をもつため、デスクシートの厚さによらず対応が可能となる。
【００２９】
以下、図４、図５を用いて本発明の他の実施の形態を説明する。
【００３０】
図４は図２のホログラム結像系と同等の結像系を、透過型ホログラムで実現するためのホログラムのモデル図である。
【００３１】
透過型ホログラム１１は、図中右下から左上に向け入射した光４に対し、上方に粗面像５を結像するホログラムである。
【００３２】
図５で前記透過型ホログラム１１の下方に、反射層１２を設ける。図中右上方より、左下方に入射した光はホログラム層を透過して、反射層１２で反射され、ホログラム層で回折して、ホログラム上方に、粗面像５を結像する。
【００３３】
図４の結像系は図２の反射型ホログラムの結像系と同等であるため、図３で同じ機能を果たすことは自明である。
【００３４】
反射層１２として、金属膜を設けるとか、ホログラム層とは異なる屈折率を有する層を設けることで安定的に読み出し光９を反射し、センサー８に入射する結像光の量がまして、変位認識精度を高めることができる。
【００３５】
またホログラムが透過型であれ、反射型であれ、回折光にある適度な指向性を持たせ、主たる散乱方向をマウスのセンサー８に合わせることで、センサーに入射する結像光の量がまし、変位認識精度を高めることができる。
【図面の簡単な説明】
【００３６】
【図１】本発明のホログラムの撮影系の図である。
【図２】本発明のホログラムの再生系の図である。
【図３】本発明の使用時の図である。
【図４】本発明の他の形態のホログラムの撮影系の図である。
【図５】本発明の他の形態のホログラムの再生系の図である。
【符号の説明】
【００３７】
１  スリガラス
２  ホログラム感材
３  光学密着液
４  レーザー光
５  ホログラム像
６  光学式マウス
７  レンズ
８  センサー
９  読み出し光
１０透明デスクシート
１１透過型ホログラム
１２反射層
【図１】
2009199544.tif 000003
【図２】
2009199544.tif 000004
【図３】
2009199544.tif 000005
【図４】
2009199544.tif 000006
【図５】
2009199544.tif 000007